(57)【特許請求の範囲】
【請求項１】
堅いリムを有する容器本体と、該本体のためのフリップトップと、を含む容器において、前記フリップトップは、
前記本体の前記堅いリムに取り付けられるベース部材と、
前記ベース部材に蝶着され、第２のキャッチ部材と、該第２のキャッチ部材に隣接した切開部を備えるスカート部とを有するカバー部材と、
第１のキャッチ部材を含み、前記ベース部材の残部に弾性的に取り付けられ直立する押しボタンと、を含み、
前記カバー部材を前記ベース部材に対し保持するように前記切開部内に延在する押しボタンにより、前記カバー部材が前記ベース部材に対し閉位置にある場合、前記第１のキャッチ部材は、前記第２のキャッチ部材と相互に作用し、
前記押しボタンが押され、それにより、前記押しボタンおよび前記第１のキャッチ部材が半径方向内方に移動する場合、前記第１および第２のキャッチ部材が互いに分離可能とされる容器。
【請求項２】
前記押しボタンは、そこから延在する横方向に向かい合う複数のウイングを含み、
各ウイングは、前記各第１のキャッチ部材をそれぞれ含み、
前記カバー部材は、前記切開部の両側面にそれぞれ、前記第２のキャッチ部材を含む請求項１記載の容器。
【請求項３】
前記各ウイングの下端は、前記ベース部材の上端に隣接して配され、
さらに、弾性的に直立する前記押しボタンを前記ベース部材に取り付けるために前記ベース部材および前記押しボタンを相互に接続する弾性結合部を含み、
前記弾性結合部は、前記押しボタンが押されるとき、押しボタンの弾性的な移動により、前記ウイングのうちの少なくとも一方が前記ベース部材の前記上端に接触し通過し、前記第１および第２のキャッチ部材の離隔をあらわす感知可能な感覚をもたらす請求項２記載の容器。
【請求項４】
前記ベース部材の前記上端は、前記ウイングの前記下端に隣接し内方に延在され、前記ウイングの前記下端うちの少なくとも一方に接触することを確実にすることを助け、前記感覚をもたらす請求項３記載の容器。
【請求項５】
前記フリップトップは、一体の射出成形されたプラスチックである請求項１記載の容器。
【請求項６】
前記ベース部材は、直立した脚部を含み、
前記カバー部材が閉位置にある場合、前記スカート部は、前記ベース部材を覆い、該直立した脚部の回りを延在する請求項５記載の容器。
【請求項７】
前記本体は、取り囲む非金属性の壁を含み、
前記堅いリムは、該取り囲む非金属性の壁の上部とともに圧延金属で作られる複合材料である請求項５記載の容器。
【請求項８】
前記取り囲む壁は、裏打ちした厚紙で作られ、該取り囲む壁は、略円形断面であり、前記カバー部材は、ドーム形状である請求項７記載の容器。
【請求項９】
前記堅いリムは、内方に延在するフランジを含み、
前記カバー部材は、前記カバー部材が閉位置にある場合、該フランジに係合する内側のシール部材を含む請求項１記載の容器。
【請求項１０】
前記ベース部材は、前記リムの外側部分の下に延在する脚部を含み、該脚部は、該ベース部材を該リムにしっかりと取り付けるように該リムの前記外側部分の下に閉じ込められるショルダーを含む請求項１記載の容器。
【請求項１１】
前記容器本体が、粉末の飲料ミックスを収容し、
前記カバー部材は、前記飲料ミックスとともに使用される第２の粉末の添加物が収容される第２の容器と、
前記カバー部材の内面に対し前記第２の容器を取り外し可能に取り付けるための取付手段と、を含む請求項１記載の容器。
【請求項１２】
前記リムは、内側のフランジと、前記第２の容器の下で該フランジに取り付けられる取り外し可能な膜と、を含む請求項１１記載の容器。
【請求項１３】
前記カバー部材を前記閉位置から離れる方向に付勢する弾性部材をさらに含む請求項１記載の容器。
【請求項１４】
製品の容器の上に取り付けられるフリップトップにおいて、
前記容器にしっかりと取り付けられるベース部材と、
前記ベース部材を覆うカバー部材であって、前記ベース部材の上方に配される内面と、該ベース部材の外部を覆うスカート部と、を含むカバー部材と、
前記ベース部材と前記カバー部材との間に設けられるヒンジであって、該カバー部材を、該カバー部材が該ベース部材の大部分を覆う閉位置と該カバー部材が該ベース部材の大部分を覆わない開放位置との間で該ベース部材に対して回転させるヒンジと、
前記閉位置において前記カバー部材を保持するための保持手段と、を含み、
該保持手段は、
前記カバー部材の前記スカート部内の切開部と、該切開部に隣接して配される第２のキャッチ部材と、前記ベース部材から上方に延在し、第１のキャッチ部材を含む押しボタンであって、前記第１および第２のキャッチ部材が係合され、前記切開部内に延在する該押しボタンにより前記閉位置に該カバー部材を保持する保持位置（ａ）から前記押しボタンおよび前記第１のキャッチ部材を半径方向内方に移動させることによって前記第１および第２のキャッチ部材が解放され、該カバー部材が開放位置に移動可能である解放位置（ｂ）まで弾性的に移動可能とされる押しボタンと、を含むフリップトップ。
【請求項１５】
前記押しボタンは、そこから延在し向かい合い、前記カバー部材が前記閉位置にある場合、前記スカート部の後方に配される複数のウイングを含み、
前記各ウイングは、各第１のキャッチ部材をそれぞれ含み、
前記スカート部は、前記切開部の両側面にそれぞれ、前記第２のキャッチ部材を含む請求項１４記載のフリップトップ。
【請求項１６】
前記各ウイングの下端は、前記ベース部材の上端に直接隣接して配され、
さらに、弾性的に直立する前記押しボタンを前記ベース部材に取り付けるために前記ベース部材および前記押しボタンを相互に接続する弾性結合部を含み、
前記弾性結合部は、前記押しボタンが押されるとき、押しボタンの弾性的な移動により、前記ウイングのうちの少なくとも一方が前記ベース部材の前記上端に滑り落ち、前記第１および第２のキャッチ部材の離隔をあらわす感知可能な感覚をもたらす請求項１５記載のフリップトップ。
【請求項１７】
前記ベース部材の前記上端は、前記ウイングの前記下端に隣接し内方に延在され、前記ウイングの前記下端うちの少なくとも一方の摺動を確実にすることを助け、前記感覚をもたらす請求項１６記載のフリップトップ。
【請求項１８】
前記ベース部材および前記カバー部材は、一体の射出成形のプラスチックで作られる請求項１４記載のフリップトップ。
【請求項１９】
前記ベース部材は、前記容器のリムの外側部分の下に延在する脚部を含み、該脚部は、該ベース部材を該リムにしっかりと取り付けるように該リムの前記外側部分の下に閉じ込められるショルダーを含む請求項１４記載のフリップトップ。
【請求項２０】
前記リムは、内方に延在する周辺フランジを含み、
前記カバー部材は、前記カバー部材が閉位置にある場合、該周辺フランジに係合する内側のシール部材を含む請求項１４記載のフリップトップ。
【請求項２１】
前記ベース部材は、直立した脚部を含み、
前記カバー部材が閉位置にある場合、前記カバー部材のスカート部は、該直立した脚部の回りを延在する請求項２０記載のフリップトップ。
【請求項２２】
前記ベース部材および前記カバー部材は、略円筒形であり、前記ヒンジは、前記ベース部材およびカバー部材における周辺端部の相対向する部分に設けられる請求項１４記載のフリップトップ。
【請求項２３】
前記押しボタンは、略楕円形であり、前記切開部は、前記押しボタンの一部を受け入れるように概ね構成され、前記第１のキャッチ部材および前記第２のキャッチ部材は、嵌め合う凹凸要素である請求項２２記載のフリップトップ。
【請求項２４】
前記ヒンジは、前記閉位置から離れる方向に前記カバー部材を付勢する請求項１４記載のフリップトップ。
【請求項２５】
前記カバー部材は、前記第１の容器に係合する内側のシールリングを含む請求項１４記載のフリップトップ。
【請求項２６】
さらに、最初に述べた容器の最初に述べた製品に対し相補的な製品用の第２の容器を含み、
前記カバー部材は、前記第２の容器が前記容器と前記内面との間に受け入れ可能となるように前記容器から前記内面に間隔をあけるのに十分な高さを含み、
前記第２の容器を前記カバー部材の前記内面に対し取り外し可能に装着するための装着手段をさらに含み、
前記カバー部材が開放位置にある場合、前記第２の容器は、利用可能とされ、前記装着手段から外される請求項１４記載のフリップトップ。
【請求項２７】
前記装着手段は、前記第２の容器が閉じ込められ、所定位置に保持される前記内面から延在する相対向する弾性アームを含む請求項２６記載のフリップトップ。
【発明の詳細な説明】
【背景技術】
【０００１】
分配またはその中の製品を利用するためのフリップトップ付き容器は、周知である。また、付加的な品物がフリップトップの下に設けられ、その開口から切り離される場合、その製品と共に使用されるべき付加的な品物を備える容器の対処も知られている。しかしながら、そのようなフリップトップは、所定位置に品物を固定せず、容器のネックの大きさにより概ね制限されるものがある。他のフリップトップは、その上部の内側に取り付けられる品物を備える。その結果、その品物は、容器における開口および本体内の下方に延びる。しかしながら、その品物は、容器内の製品により、緩く打たれ、即ち、開けられるという結果として、部屋は、その品物のために容器内に残されなければならない。
【発明の開示】
【課題を解決するための手段】
【０００２】
本発明によれば、容器は、堅いリムを有する容器本体と、本体ためのフリップトップと、を含んでもたらされる。このフリップトップは、本体の堅いリムに取り付けられるベース部材と、ベース部材に蝶着され、第１のキャッチ部材を有するカバー部材とを含む。また、そのベース部材は、押しボタンが弾性的に取り付けられるようにそれに形成される押しボタンを含む。この押しボタンは、カバー部材をベース部材に対し保持するようにカバー部材がベース部材に対し閉位置にある場合、第２のキャッチ部材は、第１のキャッチ部材と相互に作用するように、また、押しボタンが押される場合、第１および第２のキャッチ部材が互いに分離可能とされるように第２のキャッチ部材を含む。
【０００３】
この発明における一つの実施例において、カバー部材は、スカート部と、そのスカート部内の切開部とを含み、第１のキャッチ部材が切開部から延在している。また、ベース部材の押しボタンは、ベース部材の隣接する部分から上方に延在している。好ましくは、フリップトップは、一体の射出成形プラスチックである。
【０００４】
他の実施例において、第１のキャッチ部材は、切開部の両側に配され、押しボタンの第２のキャッチ部材は、その両側の後方に延在する押しボタンの両側における横方向のウイングに配される。加えて、各ウイングの下端は、ベース部材の上端に隣接して配される。弾性結合部が、弾性的に直立する押しボタンをベース部材に取り付けるためにベース部材および押しボタンを相互に接続するために使用される。その弾性結合部は、押しボタンが押されるとき、押しボタンの弾性的な移動により、ウイングのうちの少なくとも一方がベース部材の上端に接触し通過し、第１および第２のキャッチ部材の離隔をあらわす感知可能な感覚をもたらす。
【０００５】
好ましい一つの実施例において、ベース部材は、直立した脚部を含む。カバー部材が閉位置にある場合、スカート部は、ベース部材を覆い、直立した脚部の回りを延在する。本体は、取り囲む非金属性の壁を含み、堅いリムは、取り囲む非金属性の壁の上部とともに圧延金属で作られる複合材料である。好ましくは、取り囲む壁は、裏打ちした厚紙で作られ、取り囲む壁は、略円形断面であり、カバー部材は、ドーム形状である。
【０００６】
好ましい実施例において、堅いリムは、内方に延在するフランジを含む。それから、
カバー部材は、カバー部材が閉位置にある場合、垂直方向か半径方向にフランジに係合する内側のシール部材を含む。さらに、ベース部材は、リムの外側部分の下に延在する脚部を含み、脚部は、ベース部材をリムにしっかりと取り付けるようにリムの前記外側部分の下に閉じ込められるショルダーを含む。
【０００７】
また、好ましい実施例において、容器本体が、粉末の飲料ミックス、好ましくは、固形コーヒーの関連商品を収容する。それから、そのカバー部材は、飲料ミックスとともに使用される第２の粉末の添加物が収容される第２の容器を含む。取付手段が、カバー部材の内面に対し第２の容器を取り外し可能に取り付けるために備えられる。好ましくは、リムは、内側のフランジと、第２の容器の下でフランジに取り付けられる取り外し可能な膜とを含む。その取付手段は、第２の容器が閉じ込められ所定位置に保持される内面から延在する相対向する弾性アームを含む。
【０００８】
さらに好ましい実施例において、弾性部材が設けられ、閉位置からカバー部材を離す方向に付勢する。
【０００９】
また、本発明によれば、容器ユニットがもたらされ、容器ユニットは、固形飲料ミックスが収容される容器本体と、固形飲料ミックスにより作られる飲料のための固形添加物を収容する第２の容器とを含む。また、その容器ユニットは、容器本体を閉塞し、また、容器本体に対し開放可能である上部であって、第２の容器を内面に取り外し可能に装着する上部を含む。
【００１０】
好ましい実施例において、上部は、第２の容器が閉じ込められ、所定位置に保持される内面から延在する相対向する弾性アームを含む。さらに、上部は、容器本体の堅いリムに取り付けられるベース部材と、ベース部材に蝶着されるカバー部材とを含む。このカバー部材は、第１のキャッチ部材を含む。それから、そのベース部材は、弾性的に取り付けられ、第２のキャッチ部材を含む。その第２のキャッチ部材は、カバー部材がベース部材に対して閉位置にある場合、第１のキャッチ部材に相互作用し、ベース部材にカバー部材を保持する。その押しボタンが押される場合、第１および第２のキャッチ部材が、互いに離隔可能である。
【００１１】
一つの好ましい実施例において、そのカバー部材は、スカート部と、第１のキャッチ部材が切開部から延在するスカート部内の切開部と、を含む。そのベース部材の押しボタンは、ベース部材の隣接部分から上方に延在する。好ましくは、そのフリップトップは、一体の射出成形プラスチックである。
【００１２】
他の実施例において、第１のキャッチ部材は、切開部の両側に配され、押しボタンの第２のキャッチ部材は、その両側の切開部の後方に延在する押しボタンの両側の横ウイングに配される。さらに、各ウイングの下端は、ベース部材の上端に隣接して配される。弾性結合部は、弾性的に直立する押しボタンをベース部材に取り付けるためにベース部材および押しボタンを相互に接続する。弾性結合部は、押しボタンが押されるとき、押しボタンの弾性的な移動により、ウイングのうちの少なくとも一方がベース部材の上端に接触し通過し、第１および第２のキャッチ部材の離隔をあらわす感知可能な感覚をもたらすように配される。
【００１３】
また、好ましい実施例において、ベース部材は、直立した脚部を含む。カバー部材が閉位置にある場合、スカート部は、前記ベース部材を覆い、直立した脚部の回りを延在する。
【００１４】
さらに、好ましい実施例において、本体は、取り囲む非金属性の壁を含む。堅いリムは、取り囲む非金属性の壁の上部とともに圧延金属で作られる複合材料である。好ましくは、取り囲む壁は、裏打ちした厚紙で作られ、取り囲む壁は、略円形断面であり、カバー部材は、ドーム形状である。
【００１５】
さらにまた、好ましい実施例において、堅いリムは、内方に延在するフランジを含む。カバー部材は、カバー部材が閉位置にある場合、垂直方向か半径方向にフランジに係合する内側のシール部材を含む。さらに、ベース部材は、リムの外側部分の下に延在する脚部を含み、脚部は、ベース部材をリムにしっかりと取り付けるようにリムの外側部分の下に閉じ込められるショルダーを含む。さらに、リムは、内側のフランジと、第２の容器の下でフランジに取り付けられる取り外し可能な膜と、を含む。弾性部材が、カバー部材を閉位置から離れる方向に付勢する。
【発明の効果】
【００１６】
堅いリムを有する容器のフリップトップが設けられることが本発明の利点である。
【００１７】
また、十分な大きさの第２の容器が第１の容器を備えることができることが本発明の利点である。
【００１８】
第１の容器における固形製品と第２の容器の異なる製品の保管が、ユニットとして作られることが本発明のさらなる利点である。
【００１９】
フリップトップが、魅力的であり、カバー部材を容易に解放するように操作される押しボタンを備えることが本発明のさらなる利点である。
【００２０】
第１および第２のキャッチ部材の分離をあらわすために押しボタンが十分に押される場合、感知可能な感覚がもたらされることが本発明のさらにまた利点となる。
【００２１】
本発明の他の特徴および利点は、本明細書中に記載され、より詳細に以下に述べられるように、本発明の好ましい実施例の詳細な説明から明らかである。
【発明を実施するための最良の形態】
【００２２】
図において同一の数字が同一の要素をあらわす図面を参照するに、本発明に従う容器ユニット１０の一部が、図１Ａに図示されている。容器ユニット１０は、本体、即ち、第１の容器１２およびフリップトップ１４を含んでいる。概して、第１の容器１２は、それから風味付きの飲料、好ましくは、カプチーノなどを作るためにコーヒーに加えられるフレーバークリームなどや、または、所望される場合、お湯でカプチーノ、コーヒー、紅茶、または、ココアを作るために使用される乾燥粉末などの第１の固形製品１６を収容するために使用される。第１の容器は、好ましくは、粉末製品などを収容する場合、複合の構成を有している。特に、第１の容器１２は、プラスチック、または、裏打ちした厚紙（フォイルペーパーボード）の取り囲む側壁１８を備えて形成されている。代表的には、側壁１８は、全体的に断面が円筒状である。代表的には、まっすぐな円筒ではないが、当業者によりよく理解されるように、握りの手助けのため、および／または審美的理由のために曲線、出っ張り、または、窪みをその高さ方向に沿って有する。代替的に、第１の容器１２は、その分野でよく知られるような矩形、楕円形等の任意の他の形状で作ることも可能であり、プラスチックのような任意の他の物質で作ることも可能である。また、第１の容器１２は、下部、即ち、閉塞底部(不図示)および密封した上部２０を含む。
【００２３】
図１Ｂにより詳細に説明されるように、密閉上部２０は、取り囲む側壁１８に形成される上部に交わり、この部分を比較的堅くする金属製のリム２２が設けられている（プラスチックのような他の物質は、そのリムが円形から容易に変形せず、従って、後述するフリップトップを保持するのに適している限り使用可能とされるけれど）。この好ましい実施例において、密閉上部２０は、製造後、輸送および消費者への運送中、容器１０内の製品１６を密封するように設けられるフォイルシール２１のような取り外し可能な膜を含んでいる。フォイルシール２１は、リム２２における内側に向けられるフランジ２３に、その周縁で取付けられている。従って、フランジ２３は、リム２２の剛性を強化する役割を果たすことがわかるだろう。フランジ２３は、図４の破線により簡略化して示されるように（第１の容器１２は図示されていない）、第１の容器１２の回りに余すところなく延在している。フォイルシール２１は、第１の製品１６の初めての使用のとき、引裂き、即ち、破断によって、または、好ましくは、その技術において知られるように、フランジ２３に対しフォイルシール２１の外縁を取付ける弱い粘着力に抗して引き離すことによって、消費者により適宜、取り外し可能である。フォイルシール２１が接着で取付けられる場合、フォイルシール２１は、タブ（不図示）などを介して取り外し可能である。取り外し可能なフォイルシール２１が、取り外される場合、それから、スプーンなど、あるいは、注意深く注ぎ込まれることにより、第１の製品が本体１２から容易く取り外される。また、フォイルシール２１は、好ましくは、またその技術においてよく知られるように、第１の容器１２において増大した如何なる圧力も抜かれる一方向弁２５など（図４において簡略的に示される）を含む。
【００２４】
フリップトップ１４は、好ましくは、射出成形されたプラスチックなどで作られ、大きく、二つの部品、ベース部材２４およびカバー部材２６を含む。ベース部材２４およびカバー部材２６は、要望に応じて、ストレートヒンジは使用可能であるけれど、その隣接した周縁部分に沿った蝶形ヒンジ２８により共に一体に接続されている。フリップトップ１４は、図２乃至図４において一部分として示されるが、ベース部材２４、カバー部材２６、ヒンジ２８は、図５、図６、図７Ａ乃至７Ｃ、および、図８においてそれぞれ、個別に示されている。ヒンジ２８は、カバー部材２６が、図１Ａに示されるような閉位置と好ましくは、図２乃至図４に示されるような全開位置との間で、容易く回転できるように脆弱部２７を有している。好ましくは、ヒンジ２８は、カバー部材２６を閉位置から全開位置に向けて弾性的に離すように設計されている（例えば、内在的に付勢される）。カバー部材２６の開口に要求されるその程度および強さは、要求通りに小さく、または、大きくすることができ、ヒンジ２８における大きさおよび設計により決定されるだろう。この程度および強さは、使用者が容易にカバー部材２６を、第１の容器１２内の製品１６が容易く入手される開放位置に移動でき、全開位置である必要がないが、ベース部材２４から垂直にまっすぐに立つように中間位置にできるように少なくとも十分にあるべきである。必要なら、即ち、必要に応じて、別途の弾性部品などが、カバー部材２６が十分に開いた位置に移動することを確実にするように加えられることが可能である。例えば、弾性部材２９がこの実施例において必要とされないであろうことは予想されるけれども、この目的のために使用可能とされベース部材２４からまっすぐに立ち上がる弾性部材２９が、図２に示されている。カバー部材２６は、閉じた位置にある場合、弾性部材２９が弾性的に曲げられ（重ねられる）、その結果、弾性部材２９が曲がっていない位置に戻ろうとするとき、従って、弾性部材は、カバー部材２６を開いた位置に戻すように弾性的に付勢する役割を果たす。
【００２５】
カバー部材２６は、随意に、消費者によって品物および第２の容器を保持および保護するために輸送および保管中、使用される。好ましくは、第２の容器３０が設けられる場合、第２の容器３０は、第２の製品３２が必要なら、即ち、必要に応じて別に使用可能とされるけれど、第１の容器１２内の第１の固形飲料製品１６と一緒に使用される、または、相補的であるように設計される第２の固形製品、即ち、添加物３２を収容する。フレーバークリームミックス製品１６がカプチーノを形成するために加えられるコーヒーに関し、第２の製品３２は、例えば、チョコレート、または、シナモンのスプリンクルまたは粉末など、あるいは、他の香料、即ち、要望通り補完するものである。また、カバー部材２６は、第１の製品１６を容易く入手するためフォイルシール２１が使用者により取り外された後（後で述べられるように）、主に、容易く回転するカバーとして機能し、第１の容器１２内の第１の製品１６を密封することがわかるだろう。
【００２６】
第２の容器３０が設けられ、示されるように、第２の容器３０が矩形であり、カバー部材２６が、その内面３４に対ししっかりと矩形の第２の容器３０を取付ける。この装着は、内面３４から内方に延在し、好ましくは、それに一体に形成される突出アーム３６を含む取付手段の使用により達成される。アーム３６は、図１Ａおよび、図９および図１０に示されるように、拡大したヘッド３８を備えている。アーム３６の間隔および縦の長さは、弾性的に第２の容器３０を捕捉し、内面３４に対ししっかりと第２の容器３０を保持するように設計されている。好ましくは、小さく隆起した棚状突起４０（図９に示されるように）が、第２の容器３０がヘッド３８により押圧される内面３４に設けられている。また、複数の小さな突起４２は、第２の容器３０の両側に内面３４からまっすぐに立っており、輸送中および使用者による保管中、第２の容器３０がどちらか一方へ極端に移動することができない。
【００２７】
詳細に示されていないが、第２の容器３０がアーム３６相互間から取り外されるならば、第１の製品１６がそれに加えられた後、上述のコーヒーまたは類似の飲料が、第２の容器３０を振り混ぜることにより、第２の製品３２のごく一部が分配可能とされるように、
第２の容器３０は、閉位置から適切に回転され回転キャップ４４などを含むことは分かるだろう。また、回転キャップ４４は、好ましくは、アーム３６相互間に捕捉される場合、一方のアーム３６により密閉して固定されるように設計され、第２の容器３０がカバー部材２６の内面３４に装着される間、第２の製品３２が第１の製品１６に誤って加えられることを防止することが分かるだろう。使用の合間に、第２の容器３０は、別のコーヒーとともにその後の使用が要求されるまで使用者の便利な保存のためにアーム３６相互間に装着位置に容易に戻されるように設計されている。
【００２８】
第２の容器３０’をカバー部材２６’の内面３４’に対し保持するための代替的な取付手段が、図１１および図１２に示されている。この好ましい実施例においては、第２の容器３０’は、略円筒状であり、円形の突出したフランジ４６を含む。フランジ４６は、示されるように、円弧状アーム３６’の拡大ヘッド３８’の下に保持される（従って、アーム３６’はアーム３６よりも短い）。第２の容器３０’は、分配用孔４８に嵌合し塞ぐ突出した複数のペグを有する回転キャップ４４’を含み、キャップ４４’は、内面３４’に対して押圧されることにより、密閉して保持されることは分かるだろう。また、類似の第２の容器３０、第２の容器３０’は、使用後、第２の容器３０’が再び、必要とされるまで保管のために内面３４’における装着位置に戻されるように設計されている。
【００２９】
第１の容器１２のリム２２に対しフリップトップ１４をしっかりと取付けるためにベース部材２４の周縁は、図１Ａ、図１Ｂ，および図１３に最もよく示されるように、特別に形作られている。特に、ベース部材２４は、フランジ２３の上方にあるリム２２の内面に位置付けられ短く垂れ下がる脚部５０と、リム２２の下部の外面などの下に延在し位置付けられ長く垂れ下がる脚部５２とを含む。上述したように、剛性のあるリム２２に対してベース部材２４をしっかりと保持するためにリム２２は、下部の外端５４を有し、長い脚部５２は、外端５４の直下に嵌合する相補的に位置付けられるショルダー５６を含む。従って、ベース部材２４がリム２２に圧力ばめで取付けられる場合、ショルダー５６は、第１の容器１２における所定位置にベース部材２４をしっかりと保持するように外端５４の下に閉じ込められる。ベース部材２４の構成は、加えて、比較的剛性をもたらす役割を果たす。その結果、それに取付けられたならば、ベース部材が堅いリム２２にしっかりと
留まる。
【００３０】
図１Ａおよび図１３によりまた示されるように、また、ベース部材２４は、直立した脚部５８を含む。カバー部材２６が閉位置にある場合、カバー部材２６の周縁のスカート部６０が、直立した脚部５８のすぐ外側に位置付けられ、直立した脚部５８の外側に設けられるベース部材２４のランディング（ｌａｎｄｉｎｇ）６２に係合し、滑らかな感じのよい外観を与える。カバー部材２６が閉位置にある場合（図１Ａを参照）、シールリング５５が堅いリム２２のフランジ２３に係合するようにシールリング５５が内面３４から垂れ下がっていることに気づかれよう。従って、シールリング５５は、フォイルシール２１が取り外された後、特に、容器ユニット１０が振り混ぜられ、あるいは、落とされる場合、第１の容器１２内の製品１６は、シールリング５５を超えて漏れないことを確実なものにする役割を果たす。また、シールリング５５は、製造中（第２の容器の装着、最後となる第１の容器１２の充填など、以下参照）、カバー部材２６に力を加える役割を果たし、そして、輸送および運搬中、ベース部材２４とともに第１の容器１２の真上に位置する。従って、使用者によりフォイルシール２１が取り外された後、カバー部材２６が、第１の容器１２内の第１の製品１６のための保護シール用カバーとして、ならびに、第２の容器３０が設けられる場合、第２の容器３０のためのホルダーとして作用することはわかるだろう。
【００３１】
図１Ａおよび図１Ｂに示されるように、ベース部材２４において閉位置にあるカバー部材２６を保持するために、図１４に示されるように、保持手段６４が、設けられている。保持手段６４は、図５に示されるように、直立した脚部５８に円周方向の隙間の間に配され、直立した脚部５８の上部を越えて上方に延在する押しボタン６６を含んでいる。押しボタン６６は、図１５の矢印により示されるように、わずかに半径方向内側に押しボタン６６を弾性的に移動させるように、使用者により押される指圧部６７を有している。この半径方向の移動は、押しボタン６６がベース部材２４と一体に形成される場合、押しボタン６６の回りにあるベース部材２４の物質内の溝６８を使用することにより、可能とされる。押しボタン６６が押されるとき、他の場合、堅いリム２２は、ベース部材２４が内方に撓むことを防止するのでベース部材２４の残部に対する押しボタン６６におけるこの移動は、必要であることはわかるだろう。第１のキャッチ部材７０が押しボタン６６の上部に配され、その結果、押しボタン６６が押される場合、その十分な移動が達成されるように、ベース部材２４の残部の上方の第１のキャッチ部材７０の配置により、溝６８から離れた位置で第１のキャッチ部材７０がもたらされる。図７Ｃに示されるように、第２のキャッチ部材７４が、カバー部材２６における切開部７２上方に相補的に配されている。キャッチ部材７０および７４双方は、示されるように、押しボタン６６および切開部７２のそれぞれの相補的な外形に続いて縦方向に湾曲している。
【００３２】
図１５に示されるように、カバー部材２６が閉位置にある場合、第１のキャッチ部材７０がその下に第２のキャッチ部材７４を捕捉し保持し、ヒンジ２８（および／またはスプリング２９）回りの開放付勢力に抗して閉位置にカバー部材２６を保持する。従って、押しボタン６６が、図１５の矢印により示されるように、短い距離、内方に移動せしめられる場合、第２のキャッチ部材７４は、もはや第１のキャッチ部材７０の下に保持されず、それで、それから、カバー部材２６が、ヒンジ２８の開放付勢力により上方に移動自在となる。従って、カバー部材２６は、第１の容器１２内の第１の製品を手に入れるため、および、そのためにカバー部材２６の内面３４からの第２の容器３０（もし、設けられるならば）の取り外しのために上方に回転し、開放される。（または、必要である限りさらに開放可能とされる）。押しボタン６６が押されるとき、他の場合、堅いリム２２は、ベース部材２４の他の部分が内方に撓むことを防止するのでベース部材２４の残部に対する押しボタン６６におけるこの移動は、必要であることはわかるだろう。また、ベース部材２４の残部の上方である第１のキャッチ部材７０の配置により、第２のキャッチ部材７２に対するその十分な移動が所定位置のキャッチ部材７０にもたらされる。
【００３３】
容器１２に類似した容器に使用できるフリップトップ８０の代替的な実施例が、図１６乃至図２０に図示される。フリップトップ８０は、フリップトップ１４に非常に似ている。従って、フリップトップ８０における同一の要素は、プライム符号（’）の付加を除きフリップトップ１４における対応する要素と同一の数字で識別される。フリップトップ１４に類似したフリップトップ８０は、好ましくは、射出成形されたプラスチックなどで作られ、大きく、二つの部品、ベース部材２４’およびカバー部材２６’を含む。ベース部材２４’およびカバー部材２６’は、二つの部材２４’および２６’が要望通りに互いに対して回転可能となるように十分な弾性があるように脆弱線を有する簡単な接続ヒンジ２８’により共に一体に接続されている。ヒンジ２８に類似するヒンジ２８’は、カバー部材２６を閉位置から弾性的に離すように設計されている（例えば、内在的に付勢される）。しかし、この実施例では、カバー部材２６’をベース部材２４’からわずかに離れて立ち上がるように十分に付勢されている。必要なら、即ち、必要に応じて、別途の弾性部品などが、ヒンジ２８とともに上述したような方法で加えられることが可能である。この代替的な実施例におけるカバー部材２６’は、随意に、消費者によって小さな品物および第２の容器を保持および保護するために輸送および保管中、使用される。従って、第２の容器を保持することが要望されない場合、アーム３６’は除去できるけれど、そのようないずれの品物も、アーム３６’のようないずれかの適切な機構により、一体の中央の補強用円筒形バンド８２の内側に固定されるだろう。示されるように、一体の放射状の補強用ストラット８４は、補強用円筒形のバンド８２とともに一体に形成されることはわかるだろう。
【００３４】
容器（不図示）のリムに対しフリップトップ８０をしっかりと取付けるためにベース部材２４’の周縁が、特別に形作られており、図１Ａ，図１Ｂ、および図１３に示されるように、ベース部材２４の周縁に非常に似た作用をし、故に、さらなる詳細を説明しない。
しかしながら、フリップトップ８０のベース部材２４’のフランジ２７’は、ベース部材２４に見つけられるフランジ５７に類似しており、この容器の対応するフランジ２３’（図１８に部分的に示される）は、容器１２のフランジ２３に類似している。
さらに、カバー部材２６’は、シールリング５５に類似したシールリング５５’を有している。シールリング５５’は、その末端８６でわずかに外側に曲がっている。結果として、カバー部材２６’は、閉位置に移動されるとき、末端８６は、弾性的にフランジ２３’の内側の端部（即ち、この実施例の円周方向の端部）を越えて移動し、それに弾性シールを形成する。また、ベース部材２４に類似するベース部材２４は、カバー部材２６’が閉位置にある場合、カバー部材２６’の周縁のスカート部６０’が、直立した脚部５８’のすぐ外側に位置付けられ、直立した脚部５８の外側に設けられるベース部材２４’のランディング（ｌａｎｄｉｎｇ）６２’に係合するように直立した脚部５８’を含む。
【００３５】
ベース部材２４’において閉位置にあるカバー部材２６’を保持するために、図７Ｃ、図１６乃至図２０に最もよく示されるように、保持手段６４に広範囲に類似する保持手段６４’が、設けられている。保持手段６４’は、図１７に示されるように、直立した脚部５８’において円周方向の隙間、即ち、下方に向かうスカラップ部（ｓｃａｌｌｏｐｅｄ  ｐｏｒｔｉｏｎ）に配され、直立した脚部５８’の上部を越えて上方に延在する押しボタン６６’を含んでいる。押しボタン６６’は、わずかに半径方向内側に押しボタン６６’を弾性的に移動させるように、使用者により押される。この半径方向の移動は、押しボタン６６’の下部でベース部材２４’の物質に対する弾性的結合部８８を使用することにより可能とされる。そこで、押しボタン６６’がベース部材２４と一体に形成される。押しボタン６６’が押されるとき、他の場合、容器の堅いリムがベース部材２４’が内方に撓むことを防止するのでベース部材２４’の残部に対する押しボタン６６’におけるこの移動は、必要であることはわかるだろう。
【００３６】
相対向するウイング９０は、押しボタン６６’から横方向に延在する（容器が円筒形であるこの実施例において円周方向）。各ウイング９０は、隆起され、即ち、外方に延在するキャッチ部材７０’を含む。図１９に示されるように、各キャッチ部材７０’の上面は、傾斜されるが、下面は、垂直である。関連した複数の第２のキャッチ部材７４’が、カバー部材２６’における切開部７２’に隣接し相補的に配され、それぞれ、図１８および図１９に示されるように、スカート部６０’の内面に内方に延在する窪みに嵌め合うように形成されている。隆起したキャッチ部材７０’および窪んだキャッチ部材７４’における垂直部は、共に二つの確実な固定を確実にするが、一方、その傾斜部は、直立した脚部５８’の端部を超えるキャッチ部材７０’の容易い摺動、および、キャッチ部材７０’のキャッチ部材７４内への容易い摺動をもたらす。キャッチ部材７０’および７４’における隆起／窪みの構成は、逆転したものも可能であり、その場合、スカート部６０およびウイング９０における関連した窪み傾斜部および平坦部は、方向において逆向きであることはわかるだろう。
【００３７】
図１９に示されるように、カバー部材２６’が閉位置にある場合、双方の第１のキャッチ部材７０’がその下に各第２のキャッチ部材７４を捕捉し保持し、ヒンジ２８’回りのわずかな開放付勢力に抗して閉位置にカバー部材２６を保持する。従って、使用者の指８９が、図２０において押しボタン６６’の点線により示されるように、押しボタン６６’を弾性的な結合部８８の回りに短い距離、内方に移動させる場合、押しボタン６６が、図１５の矢印により示されるように、短い距離、内方に移動せしめられる場合、第２のキャッチ部材７４’は、もはや第１のキャッチ部材７０’内に保持されず、それで、それから、カバー部材２６が、ヒンジ２８’の開放付勢力により上方に移動自在となる。
【００３８】
結合部８８の位置により、押しボタン６６’が使用者により内方に押されるとき、複数の下端９２のうちの少なくとも一方、代表的には、双方が接触または摺動し、それから、図２０における点線により示されるように、ベース部材２４’の直立した脚部５８’の上端９４を通過し、即ち、立ち去ることはわかるだろう。この接触を確実にするために上端９４が、図２０に示されるように、隣接するウイング９０の位置で広げられていることが分かるだろう。上端９４を通過し立ち去る複数の下端９２の移動は、使用者により感知できる感覚、この場合、「クリック」音のような音声やクリック感をもたらす役割を果たす。この感覚は、第１および第２のキャッチ部材７０’、７４’の離隔を示すように生じるように設計され、それにより、使用者は、その感覚が感知される場合、押しボタン６６’のさらなる押しは、ベース部材２４’からカバー部材２６’を解放するためにもはや要求されないことを知る。
【００３９】
容器１２が製造工程において最後に下部（金属、圧延されるリム）を備え、その結果、フリップトップ１４が、第１の製品１６が裏返しの容器ユニット１０の開口した下部を通じて加えられる以前に第１の容器１２に取り付けられるということは予想されることに気付かれよう。フォイルシール２１（上述したように）に設けられる逃がし弁を保護するためにろ紙７５（図４において簡単に図示される）が一方向弁２５を覆い、一方向弁２５が、充填中、粉末の第１の製品１６で詰まることを防止する。逃がし弁２５、および、ろ紙７５双方がフォイルシール２１に取り付けられるとき、フォイルシール２１が使用者により最初に取り外される場合、双方がはがれる。
【００４０】
好ましくは、また、フリップトップ１４は、カバー部材２６にトップエクステリアリム（ｔｏｐ  ｅｘｔｅｒｉｏｒ  ｒｉｍ）７６を含む。リム７６は、そこに他の容器ユニット１０の下部を受け入れるように設計される。その結果、リム７６は、その技術で知られるように、容器ユニット１０の安定した積み重ねを助長する。
【００４１】
本発明は、代表的な実施例に対して説明されたが、その当業者により、変形および変更が、本発明の範囲および精神の範囲内でもたらされ得ることが理解されるだろう。
【図面の簡単な説明】
【００４２】
【図１Ａ】本発明に従うフリップトップ、および、主容器を有する円筒状の容器ユニットの一部の断面立面図である。
【図１Ｂ】図１Ａにおける破線１Ｂにより示される円筒状容器ユニットの一部の拡大断面図である。
【図２】開位置で図示されるフリップトップの断面図（図３における２−２線に沿った）である。
【図３】図２に図示された容器ユニットのフリップトップの上面図である。
【図４】図２に図示される容器ユニットのフリップトップの下面図である。
【図５】図２における矢印５の方向から見たフリップトップのベース部材の立面図である。
【図６】図２における６−６線に沿ったフリップトップのベース部材の断面図である。
【図７Ａ】明瞭にするためにシール用リングの一部を切り取った状態で、図２における７Ａ−７Ａ線に沿ったフリップトップのカバー部材の断面図である。
【図７Ｂ】図３における７Ｂ−７Ｂ線に沿ったフリップトップのカバー部材の断面図である。
【図７Ｃ】図２における破線７Ｃにより示されるラッチの拡大部の断面図である。
【図８Ａ】図２における破線８Ａにより示されるヒンジの拡大断面図である。
【図８Ｂ】図３における８Ｂ−８Ｂ線に沿ったヒンジの断面図である。
【図９】カバー部材に対する第２の容器の装着を示す図１に図示されるフリップトップの斜視図である。
【図１０】図９における１０−１０線に沿ったカバー部材の一部の断面図である。
【図１１】代替的な第２の容器のための代替的な取付台を有する図９のフリップトップと類似したフリップトップの斜視図である。
【図１２】図１１における１２−１２線に沿ったカバー部材の一部の断面図である。
【図１３】図６における破線１３により示されるカバー部材の拡大部の断面図である。
【図１４】図２における破線１４により示されるカバー部材の拡大部の断面図である。
【図１５】第２のキャッチ部材との関係を示す図１４に示される押しボタンの第１のキャッチ部材の断面図である。
【図１６】感知できる知覚的特徴を備える代替的な押しボタンを有し、図１〜図５のフリップトップと類似したフリップトップの代替的な実施例の斜視図である。
【図１７】図１６に図示されるフリップトップのベース部材の部分断面における正面図である。
【図１８】図１６に図示されるフリップトップのベース部材の部分断面における正面図である。
【図１９】図１８に図示される１９−１９線に沿ったカバー部材の正面の断面図である。
【図２０】破線２０で特定される図１７の一部の拡大斜視図である。
【図１Ａ】
0005537785.tif 000002
【図１Ｂ】
0005537785.tif 000003
【図２】
0005537785.tif 000004
【図３】
0005537785.tif 000005
【図４】
0005537785.tif 000006
【図５】
0005537785.tif 000007
【図６】
0005537785.tif 000008
【図７Ａ】
0005537785.tif 000009
【図７Ｂ】
0005537785.tif 000010
【図７Ｃ】
0005537785.tif 000011
【図８Ａ】
0005537785.tif 000012
【図８Ｂ】
0005537785.tif 000013
【図９】
0005537785.tif 000014
【図１０】
0005537785.tif 000015
【図１１】
0005537785.tif 000016
【図１２】
0005537785.tif 000017
【図１３】
0005537785.tif 000018
【図１４】
0005537785.tif 000019
【図１５】
0005537785.tif 000020
【図１６】
0005537785.tif 000021
【図１７】
0005537785.tif 000022
【図１８】
0005537785.tif 000023
【図１９】
0005537785.tif 000024
【図２０】
0005537785.tif 000025